(57)【要約】【課題】利用者の操作を必要とせずに多彩な背景画像を容易に設定することが可能な通信端末装置を提供する。【解決手段】電子メール受信時に制御部１０８は、電子メールに画像データが添付されているかを判定する。画像データが添付されていたとき、その電子メール又は画像データを、記憶部１０７に記憶されている背景画像保存条件と照合する。受信した電子メール又は画像データが、背景画像保存条件と一致していた場合には、添付されている画像データを記憶部１０７の背景画像保存領域に格納する。制御部１０８は、状態検出部１０６が出力する検出信号を検知すると、背景画像フォルダに保存されている画像を抽出する。抽出した画像を、背景画像として設定し、表示部１０４に表示させる。【選択図】図１
2012160874.tif 000002
【特許請求の範囲】
【請求項１】
画像データを取得する画像データ取得部と、
前記画像データ取得部で取得した画像データの画像が、予め定めた条件に適合するか否かを判定する画像判定部と、
前記画像判定部で、前記条件に適合していると判定された画像の画像データを記憶する画像データ記憶部と、
前記画像データ記憶部に記憶された画像を背景画像として設定する背景画像設定部と、
を備えることを特徴とする通信端末装置。
【請求項２】
前記画像判定部は、前記画像データ取得部で取得した画像データの画像が、前記背景画像として保存するか否かを判定するための背景画像保存条件を格納する背景画像保存条件格納部を有し、前記画像データ取得部で取得した画像データの画像が、前記背景画像保存条件に適合するか否かを判定することを特徴とする請求項１に記載の通信端末装置。
【請求項３】
前記画像データ取得部は、画像データが添付された電子メールを受信することにより、画像データを取得することを特徴とする請求項１又は２に記載の通信端末装置。
【請求項４】
前記画像データ取得部は、一方向又は双方向のデータ配信手段により配信された画像データ信号を受信することにより、画像データを取得することを特徴とする請求項１乃至３のいずれかに記載の通信端末装置。
【請求項５】
前記画像データ取得部は、画像を特定する情報を含むメッセージデータを含む電子メールを受信し、前記メッセージデータが、予め定めた条件に適合するか否かを判定し、前記条件に適合していると判定されたメッセージデータに含まれる情報が特定する画像データを、通信ネットワークを介して取得することを特徴とする請求項１乃至４のいずれかに記載の通信端末装置。
【請求項６】
前記通信端末装置の状態の変化を検出する状態検出部をさらに有し、
前記背景画像設定部は、前記状態検出部より前記状態の変化があったことを示す信号が出力された時に、前記画像データ記憶部に記憶された画像データを取得し、背景画像として設定する、
ことを特徴とする請求項１乃至５のいずれかに記載の通信端末装置。
【請求項７】
前記通信端末装置は第１ユニットと第２ユニットとからなり、前記第１ユニットと前記第２ユニットはヒンジ部により開閉自在に結合されており、
前記第１ユニットと前記第２ユニットが開状態であるか閉状態であるかを検出する開閉センサをさらに有し、
前記状態検出部は、前記開閉センサの出力により、前記閉状態から前記開状態に変化したことを検出し、状態の変化があったことを示す信号を出力することを特徴とする請求項６に記載の通信端末装置。
【請求項８】
前記画像データ記憶部は複数の領域に分割されており、前記取得した画像を予め定めた条件により分類して、前記複数の領域にそれぞれ記憶し、
前記画像データ記憶部の複数の領域はそれぞれ前記通信端末装置の有するアプリケーションに対応付けられており、
前記背景画像設定部は、前記通信端末装置の使用中のアプリケーションに対応する前記領域に記憶されている画像を背景画像として設定する、
ことを特徴とする請求項１乃至７のいずれかに記載の通信端末装置。
【請求項９】
画像データを取得する画像データ取得ステップと、
前記画像データ取得ステップで取得した画像データの画像が、予め定めた条件に適合するか否かを判定する画像判定ステップと、
前記画像判定ステップで、前記条件に適合していると判定された画像の画像データを記憶する画像データ記憶ステップと、
前記画像データ記憶ステップで記憶された画像を背景画像として設定する背景画像設定ステップと、
を備えることを特徴とする背景画像設定方法。
【請求項１０】
コンピュータに、
画像データを取得する画像データ取得手順と、
前記画像データ取得手順で取得した画像データの画像が、予め定めた条件に適合するか否かを判定する画像判定手順と、
前記画像判定手順で、前記条件に適合していると判定された画像の画像データを記憶する画像データ記憶手順と、
前記画像データ記憶手順で記憶された画像を背景画像として設定する背景画像設定手順と、
を実行させるためのプログラム。
【発明の詳細な説明】
【技術分野】
【０００１】
本発明は、通信端末装置、背景画像設定方法、及びプログラムに関する。
【背景技術】
【０００２】
近年の携帯電話等の通信端末装置には、待受け画像等の背景画像をユーザの好みによりカスタマイズできるものが多くある。待受け画像とは、通信端末装置の通話機能やメール機能等を使用していないときであって、他の通信端末からの通話やメール受信が可能な待受け（スタンバイ）状態の時に表示画面に表示される画像である。待受け画像の他にも、メール送受信等の通信端末の各種機能実行時の背景画像もカスタマイズできる端末もある。
これらの背景画像は、利用者が操作部を介して登録設定した画像である。つまり、利用者が所望する画像を背景画像にしたい場合は、その都度、画面設定操作を行う必要があった。
【０００３】
一方、近年の通信端末装置は撮像機能を備えたものも多く、ユーザの操作によって撮影した撮像画像を通信端末装置の記憶部に保存することができる。また、メール機能やインターネット接続などの機能を使用して、他の通信端末やサーバなどから画像をダウンロードして、通信端末装置の記憶部に保存することもできる。
これらの記憶部に格納された画像を背景画像として設定することが可能であるが、多数の画像の中から利用者が選択、設定操作をしなければならない。このような利用者による積極的な操作がなされない場合は、背景画面が長期間に渡って変更されない状態となっていた。
【０００４】
これに対し、特許文献１には、複数の画像を背景画像専用の記憶領域に記憶しておき、待受け状態時に特定の入力キーの押し下げ操作により背景画面の画像を次々と切り替える構成が開示されている。
【先行技術文献】
【特許文献】
【０００５】
【特許文献１】特開２００２−３００２４１号公報
【発明の概要】
【発明が解決しようとする課題】
【０００６】
しかしながら、特許文献１に開示された通信端末装置においても、利用者による撮像操作や、背景画像専用の記憶領域への画像の保存操作、特定入力キーの押し下げ操作等を必要とするため、利用者にとっては操作の煩わしさがあった。
【０００７】
本発明は、上記実情に鑑みてなされたものであり、利用者の操作を必要とせずに多彩な背景画像を表示させることが可能な通信端末装置、背景画像設定方法、及びプログラムを提供することを目的とする。
【課題を解決するための手段】
【０００８】
上記目的を達成するため、本発明の第１の観点に係る通信端末装置は、
画像データを取得する画像データ取得部と、
前記画像データ取得部で取得した画像データの画像が、予め定めた条件に適合するか否かを判定する画像判定部と、
前記画像判定部で、前記条件に適合していると判定された画像の画像データを記憶する画像データ記憶部と、
前記画像データ記憶部に記憶された画像を背景画像として設定する背景画像設定部と、
を備えることを特徴とする。
【０００９】
また、本発明の第２の観点に係る背景画像設定方法は、
画像データを取得する画像データ取得ステップと、
前記画像データ取得ステップで取得した画像データの画像が、予め定めた条件に適合するか否かを判定する画像判定ステップと、
前記画像判定ステップで、前記条件に適合していると判定された画像の画像データを記憶する画像データ記憶ステップと、
前記画像データ記憶ステップで記憶された画像を背景画像として設定する背景画像設定ステップと、
を備えることを特徴とする。
【００１０】
また、本発明の第３の観点に係るプログラムは、
コンピュータに、
画像データを取得する画像データ取得手順と、
前記画像データ取得手順で取得した画像データの画像が、予め定めた条件に適合するか否かを判定する画像判定手順と、
前記画像判定手順で、前記条件に適合していると判定された画像の画像データを記憶する画像データ記憶手順と、
前記画像データ記憶手順で記憶された画像を背景画像として設定する背景画像設定手順と、
を実行させる。
【発明の効果】
【００１１】
本発明によれば、利用者の操作を必要とせずに、通信端末装置に多彩な背景画像を表示させることが可能となる。
【図面の簡単な説明】
【００１２】
【図１】第１の実施形態に係る通信端末装置の内部構成を示すブロック図である。
【図２】第１の実施形態に係る通信端末装置の外観図である。
【図３】第１の実施形態に係る背景画像保存／設定の処理を開始する手順を示すフローチャートである。
【図４】第１の実施形態に係る背景画像保存領域に画像を保存する手順を示すフローチャートである。
【図５】第１の実施形態に係る背景画像を設定する手順を示すフローチャートである。
【図６】第２の実施形態に係る背景画像保存領域に画像を保存する手順を示すフローチャートである。
【図７】第３の実施形態に係る背景画像保存／設定の処理を開始する手順を示すフローチャートである。
【図８】第３の実施形態に係る背景画像保存領域に画像を保存する手順を示すフローチャートである。
【図９】記憶部の背景画像保存領域のフォルダ構造を説明するための図である。
【図１０】背景画像を設定する手順を示すフローチャートである。
【発明を実施するための形態】
【００１３】
以下、本発明の実施形態１について図面を参照して詳細に説明する。
【００１４】
図１は、この通信端末装置１０の内部構成を示すブロック図である。図２は、本実施形態に係る通信端末装置１０の外観を示す図である。図２の（ａ）は表示部１０４に面した側から見た図であり、（ｂ）はその反対側から見た図である。
本実施形態においては、通信端末装置１０は、携帯電話として示しているが、ＰＨＳ（Personal Handy-phone System）、ＰＤＡ（Personal Digital Assistant）、ＰＣ（Personal Computer）等で具現化してもよい。
【００１５】
通信端末装置１０は、通信機能（通話、メール送受信、インターネット接続）やＴＶ放送受信機能等を備えた、プログラム制御により動作する情報処理装置であって、表示部を有する第１ユニット１１と、操作部を有する第２ユニット１２とから構成される。第１ユニット１１と第２ユニット１２とは、ヒンジ部１３を介して構造的、電気的に結合され、開閉が自在である。
なお、本実施形態においては、第１ユニットと第２ユニットが重なり、第１ユニットの表示部と第２ユニットの操作部が向かい合うように近接している状態を閉状態と呼び、第１ユニットと第２ユニットがヒンジ部１３を挟んで略並列し、第１ユニットの表示部と第２ユニットの操作部が互いに離れた状態を開状態と呼ぶ。そして、通信端末装置１０の開閉動作とは、開状態と閉状態とを相互に変化させる動作をいう。
【００１６】
通信端末装置１０は、無線通信部１０１、放送受信部１０２と、カメラ部１０３と、表示部１０４と、操作部１０５と、状態検出部１０６と、記憶部１０７と、制御部１０８と、音声処理部１０９と、マイク１１０と、内部スピーカ１１１と、外部スピーカ１１２と、測位部１１３、開閉センサ１１４とを備える。
【００１７】
無線通信部１０１は、アンテナ１１５等を備え、所定の通信方式にて無線基地局や他の通信端末装置や情報処理装置とデータの送受信を行う。ここで、無線通信部１０１は、通信端末装置１０が無線基地局等を介してインターネットにアクセスするための通信処理等も行う。なお、無線通信部１０１は、例えば、ＣＤＭＡ（Code Division Multiple Access）、ＥＶ−ＤＯ（Evolution Data Only）、無線ＬＡＮ等の、複数の通信方式を利用した通信が可能となるように構成してもよい。
【００１８】
放送受信部１０２は、アンテナ１１６を備え、放送局（地上局、衛星など）から送信された放送信号をアンテナ１１６を介して受信し、該受信した信号の復調により映像データ、音声データ、情報データ等を取得する。
【００１９】
カメラ部１０３は、ＣＭＯＳセンサやＡ／Ｄコンバータ等から構成され、被写体を撮像して得られた画像信号を画像データとして取得する。例えば、カメラ部１０３は、被写体である人物の顔や景色、文字等を撮像し、その結果得られた画像を制御部１０８で扱えるデジタル信号（画像データ）に変換する。制御部１０８はカメラ部１０３からの画像データを必要に応じて表示部１０４に出力する。
カメラ部１０３は、図２(a)に示すように第１ユニット１１の表示部１０４と同一面側、又は、図２(a)に示すように表示部１０４と反対面側に備えられる。あるいは、両面にそれぞれ１つずつ備えていても良い。
【００２０】
表示部１０４は、例えば、ＬＣＤ（Liquid Crystal Display）や有機ＥＬ（Electro -Luminescence）ディスプレイ等の表示デバイスで構成され、画像、図形、文字、記号などの情報表示出力を行う。
通信端末装置１０が持つメール機能、ゲーム機能等の使用時には、各機能の操作画面を表示部１０４に表示する。また、カメラ機能使用時には、カメラ部１０３により撮像された画像等を表示する。
また、待受け時には、後述するように制御部１０８が設定制御した背景画像を表示部１０４に表示する。ここで、待受け時とは、通信端末装置１０の各種機能を使用しておらず通話やメール受信が可能なスタンバイ状態にある時をいう。その背景画像の一部に重ねて、ユーザが通信端末装置１０の機能を利用するために必要な各種の情報を表示する。例えば、電源状態、電波強度、電池残量、サーバ接続状態等の動作状態、未読メールの有無、入力した電話番号や着信時の発呼者の電話番号、送受信メールの内容、動画及び静止画、インターネット接続時におけるＷｅｂ画面等の受信データ等を表示する。
【００２１】
操作部１０５は、テンキー、方向キー/決定キー、ファンクションキー等の各種のキーボタン等を含んで構成され、ユーザからの操作入力を受け付け、受け付けた操作入力に係る信号を制御部１０８に送出する。操作部１０５はユーザから、例えば、当該通信端末装置１０の電源ＯＮ／ＯＦＦ操作、電話番号の入力やメール本文作成のための入力操作、被写体の撮像に係る操作等を受け付ける。
【００２２】
状態検出部１０６は、背景画像の更新のトリガとなる状態の変化を検出する。本実施形態において、状態検出部１０６は、通信端末装置１０の第１ユニットと第２ユニットとの開閉を検出するものである。例えば、ホール素子を用いた磁器センサや、凸部と押下スイッチの組み合わせ等からなる開閉センサの検出信号を検出することにより、状態検出部１０６が通信端末装置１０の開閉動作を検知する。状態検出部１０６は、通信端末装置１０が開状態となったことを検知し、状態が変化したことを示す信号を制御部１０８へ出力する。制御部１０８は、この状態検出部１０６の出力信号を検知すると、背景画像を更新するように表示部１０４等を制御する。
【００２３】
記憶部１０７は、例えば、フラッシュメモリ等の読み書き可能な不揮発性の半導体メモリで構成される。記憶部１０７には、通信端末装置１０で扱う電話帳情報、送受信メール情報、発着呼情報、コンテンツ情報等の各種データや、メーラ（電子メールクライアント）等のアプリケーションソフトウェア、本実施形態特有の機能を実現するためのプログラム等を記憶する。
また、記憶部１０７には、背景画像として使用する画像データを保存する領域を背景画像保存領域として予め設けている。カメラ部１０３によって取得したり、他の通信端末装置との通信等により取得した画像を背景画像として使用すると判定した場合には、その画像データをこの背景画像保存領域に保存する。
また、通信端末装置１０は、後述するように、背景画像を自動保存するモード、自動設定するモードの有効／無効を選択可能としているため、これらのモードを選択しているか否かなど、ユーザの操作部１０５を用いた操作により設定された設定情報も記憶する。
また、記憶部１０７には、取得した画像が背景画像として保存するか否かを判定するための判定条件等の情報データも記憶する。
これらの記憶された画像データや設定情報や判定条件の情報データはユーザの操作により書き換え可能な構成としてもよい。
【００２４】
制御部１０８は、ＣＰＵ（Central Processing Unit）、主記憶装置等で構成され（何れも図示せず）、通信端末装置１０の各部を制御すると共に、記憶部１０７に記憶されている各種プログラムを実行することにより、電話機能、メール機能、インターネット(web)接続機能、カメラ機能、テレビ受信機能、コンテンツ再生機能、その他の端末の有する機能や各部の制御を行う。
【００２５】
また、制御部１０８は、背景画像の表示に関して背景画像保存処理と背景画像設定処理を行う。
背景画像保存処理は、受信メールに添付された画像を記憶部１０７に格納されている条件と照合し、適合した場合には、記憶部１０７の背景画像保存領域として予め定めた領域にその画像データを保存する処理を行う。
一方、背景画像設定処理は、制御部１０８は状態検出部１０６が予め定めた状態を検出したとき、記憶部１０７の背景画像保存領域に保存されている画像を予め定めた順序で選択し、背景画像として表示部１０４に表示させる処理を行う。
【００２６】
音声処理部１０９は、送話部（マイク１１０）を介して入力された音声信号の処理を行い無線通信部１０１に出力するとともに、及び無線通信部１０１より入力された信号に音声処理を施し、受話部（内部スピーカ１１１）に音声信号を出力する。また、外部スピーカ１１２は楽音や報知音等の鳴音出力を行う。
測位部１１３は、ＧＰＳ(Global Positioning System)衛星等とデータの送受信を行い、通信端末装置１０の位置座標情報（経度、緯度）等を取得する。
【００２７】
以上のように構成された通信端末装置１０において、制御部１０８は、電話の発着信処理、電子メールの送受信処理、その他記憶部１０７に保存されているアプリケーションソフトウェアの実行処理など、通信端末としての通常の処理を行うとともに、背景画像保存処理及び背景画像設定処理を行う。以下、背景画像保存処理及び背景画像設定処理について、図３乃至５のフローチャートを参照して説明する。
【００２８】
図３は通信端末装置１０の制御部１０８の処理全体を示すものであるが、通常の電話の発着信処理、電子メールの送受信処理、その他アプリケーションソフトウェアの実行処理については省略し、背景画像保存処理、背景画像設定処理に関係する部分のみを示しており、この部分のみについて以下詳細に説明する。
【００２９】
本実施形態においては、背景画像として使用する画像をメールに添付された画像から選択し保存する構成とする。
通信端末装置１０は、背景画像として使用する画像を自動保存するモードか、自動保存せずに必要に応じてユーザが手動保存するか否かについて、ユーザが選択可能とする。このため、制御部１０８は、まず背景画像として使用する画像を自動保存するモードをユーザが選択しているか否かを判断する（Ｓ００１）。
自動保存するモードを、ユーザが操作部１０５を操作することにより選択している場合には、メールの着信があったか否かを判断し（Ｓ００２）、メールの着信があった時には、背景画像保存処理を行う（Ｓ００３）。
【００３０】
背景画像保存手処理は、図４に示すように、まず、受信したメールに画像が添付されているか否かを判断し（Ｓ１０１）、画像が添付されていると判断した場合、受信メールについて、メールの件名、本文を含む内容、又は添付されている画像データを、背景画像保存条件と照合する（Ｓ１０２）。背景画像保存条件とは、取得した画像を背景画像として保存するか否かを判定するための条件であり、その条件を示す情報データは記憶部１０７に記憶されている。
ここで、背景画像保存条件の例としては、送信元のメールアドレスが電話帳に登録されている、メールの本文/タイトルに予め定めたキーワード（「子供」など）が含まれている、画像データが示す画像のサイズが予め定めた範囲内である等の条件が挙げられる。
【００３１】
受信した電子メールの内容又は添付されている画像データが背景画像保存条件と一致していた場合には（Ｓ１０３；ＹＥＳ）、添付されている画像データを記憶部１０７の特定の領域に設けられた背景画像保存領域に保存する（Ｓ１０４）。
ここで、画像データを保存する際には、送信元、受信日時、ファイル名等の情報も一緒に格納してもよい。これらの情報は後述する背景画像設定処理において、背景画像の抽出の順番を決定する判断基準に用いてもよい。
【００３２】
次に、背景画像保存領域に保存された画像を自動設定する背景画像設定処理について説明する。
通信端末装置１０は、背景画像を自動設定するモードか、自動設定せずに必要に応じてユーザが手動設定するか否かについて、ユーザが選択可能とする。このため、制御部１０８は、まず背景画像を自動設定するモードをユーザが選択しているか否かを判断する（Ｓ００４）。自動設定するモードを、ユーザが操作部１０５を操作することにより選択している場合には、状態が変化したか否かを判断し（Ｓ００５）、状態が変化した時には、背景画像設定処理を行う（Ｓ００６）。
具体的には、状態検出部１０６が状態の変化を示す検出信号を監視することで、状態の変化を検知する。ここでは、ユーザにより通信端末装置１０の第１ユニットと第２ユニットとが閉状態から開状態へ変化したとき、状態検出部１０６は検出信号を検出し、状態が変化したことを示す信号を制御部１０８へ出力する。制御部１０８は、状態検出部１０６が出力する信号を検知すると(Ｓ００７）、背景画像設定処理を実行する（Ｓ００８）。
【００３３】
背景画像設定処理は、図５に示すように、まず、背景画像保存領域に保存されている画像を抽出する（Ｓ２０１）。背景画像の抽出は、背景画像保存領域に保存された日時順、送信元順に、又は、ランダムに画像の抽出を行う。
次に抽出した画像を背景画像として設定し、表示部１０４に表示させる（Ｓ２０２）。
このようにすることで、通信端末装置１０を開くたびに背景画像が更新されることとなる。
【００３４】
以上説明したように、本実施形態によれば、ユーザが意識することなく背景画像に使用するための画像を記憶部に保存しておき、通信端末装置１０を開くたびに背景画像が記憶部から読み出され表示されるため、多彩な背景画像が随時更新されることとなる。
【００３５】
次に、本発明の実施形態２について図６を参照して説明する。
なお、本実施形態に係る通信端末装置１０の内部構成、外観、全体の処理は図１、図２、図３に示したものと同じである。
背景画像保存処理の手順が実施形態１と異なるため、図６を参照して背景画像保存処理の手順を中心に説明する。
【００３６】
本実施形態においても、メールの着信があったと判断した場合に背景画像保存処理を実行する（図３、Ｓ００２）。図６に示すように、制御部１０８は、受信メールの内容を画像取得条件と照合する（Ｓ３０１）。画像取得条件とは、受信メールの内容が、背景画像として使用する画像を取得するための情報を含むか否かを判定するための条件であり、その条件を示す情報データは記憶部１０７に記憶されている。
ここで、本実施形態における画像取得条件とは、例えば、メール本文にＵＲＬが挿入されており、かつ、送信元のメールアドレスが電話帳に登録されている、メールの本文/タイトルに予め定めたキーワード（「子供」など）が含まれている等の条件である。
【００３７】
受信した電子メールが、画像取得条件と一致していた場合には(Ｓ３０２；ＹＥＳ）、制御部１０８は無線通信部１０１における通信処理により、メール本文に記載されたＵＲＬのサーバにアクセスし、そのサーバより画像を取得する（Ｓ３０３）。取得した画像データについて、背景画像保存条件と照合する（Ｓ３０４）。背景画像保存条件とは、取得した画像を背景画像として保存するか否かを判定するための条件であり、その条件を示す情報データは記憶部１０７に記憶されている。
ここで、背景画像保存条件の例としては、画像データが示す画像のサイズや容量が予め定めた範囲内である等の条件が挙げられる。
【００３８】
取得した画像データが、背景画像保存条件と一致していた場合には（Ｓ３０５；ＹＥＳ）、添付されている画像データを記憶部１０７の特定の領域に設けられた背景画像保存領域に保存する（Ｓ３０６）。
ここで、画像データを保存する際には、画像を取得したサーバのＵＲＬ、受信日時、ファイル名等の情報も一緒に格納してもよい。これらの情報は背景画像設定処理において、背景画像の抽出の順番を決定する判断基準に用いてもよい。
取得した画像を背景画像として設定する処理は図５で説明したとおりである。
【００３９】
以上説明したように、本実施形態によれば、ユーザが意識することなく背景画像に使用するための画像を、インターネットを介して取得し保存することができ、より多彩な背景画像を通信端末装置の表示部に表示させることができる。
【００４０】
なお、背景画像保存処理において、実施形態１で説明した背景画像保存処理と実施形態２で説明した背景画像保存処理を双方行うように構成しても良い。
すなわち、受信メールに添付された画像と、受信メールの本文に記載されたＵＲＬのサーバより取得した画像を、いずれも背景画像保存条件と照合して、背景画像保存条件に一致した画像を保存する構成としても良い。
このように構成することで、より多種の背景画像を取得し、表示部に表示させることができる。
【００４１】
次に、本発明の実施形態３について図７、図８を参照して説明する。
なお、本実施形態に係る通信端末装置１０の内部構成、外観も図１、図２に示したものと同じである。
背景画像保存処理の開始条件、および手順が実施形態１及び２と異なるため、図７、８を参照して説明する。
【００４２】
実施形態１及び２と異なり、本実施形態においては画像を放送信号やインターネットを介した配信コンテンツより取得する。この放送信号や配信コンテンツは背景画像を取得する用途に限らず、ユーザが視聴、録画用に取得したものでもよく、取得した放送信号、配信コンテンツから、背景画像に使用する画像を選択し、保存するというものである。
【００４３】
通信端末装置１０は、背景画像として使用する画像を自動保存するモードか、自動保存せずに必要に応じてユーザが手動保存するか否かについて、ユーザが選択可能とする。このため、制御部１０８は、まず背景画像として使用する画像を自動保存するモードをユーザが選択しているか否かを判断する（Ｓ００１）。自動保存するモードを、ユーザが操作部１０５を操作することにより選択している場合には、放送／コンテンツを受信するためにユーザが予め予約しておいた時間になっているか否かを判断し（Ｓ００６）、予約時間になっている時には、背景画像保存処理を行う（Ｓ００７）。
【００４４】
背景画像保存処理において、制御部１０８は放送受信部１０２より、予め登録しておいた時間、チャネル、又は番組名で特定される放送を受信する（Ｓ４０１）。
または、制御部１０８は無線通信部１０１により、予め登録しておいた配信コンテンツを受信する（Ｓ４０１）。
制御部１０８は受信した放送番組やコンテンツに関する情報データを背景画像保存条件と照合する（Ｓ４０２）。背景画像保存条件とは、取得した画像を背景画像として保存するか否かを判定するための条件であり、その条件を示す情報データは記憶部１０７に記憶されている。
ここで、背景画像保存条件とは、例えば、放送番組やコンテンツのタイトルに予め定めたキーワード（「天気」など）が含まれている等の条件が挙げられる。
【００４５】
受信した放送番組やコンテンツが背景画像保存条件に一致していた場合には、制御部１０８は、表示部１０４に表示している映像をキャプチャーし（Ｓ４０４）、取得した画像データを特定の領域に設けられた背景画像フォルダに格納する（Ｓ４０５）。
ここで、画像データを保存する際には放送番組名、コンテンツタイトル、受信日時、等の情報も一緒に格納してもよい。これらの情報は背景画像設定処理において、背景画像の抽出の順番を決定する判断基準に用いてもよい。
取得した画像を背景画像として設定する処理は図５で説明したとおりである。
【００４６】
なお、放送などを受信する本実施形態においては、まず、受信した放送信号やコンテンツ信号から映像データ、情報データを取得して、これらのデータから画像データを抽出してから、その画像を予め定めた背景画像保存条件と照合してもよい。
【００４７】
以上説明したように、本実施形態によれば、ユーザが意識することなく、放送信号等から取得した画像を背景画面として保存し、表示させることで、例えば、天気予報が更新される都度、更新された天気図などが背景画像として表示部１０４に表示させることができる。
【００４８】
なお、背景画像保存処理において、実施形態１乃至３で説明した背景画像保存処理を全て、又はいずれか２つを行うように構成しても良い。
すなわち、受信メールに添付された画像と、受信メールの本文に記載されたＵＲＬのサーバより取得した画像と、放送等を受信することによって取得した画像の中から、全て又はいずれか２つの処理手順により取得した画像を背景画像保存条件と照合して、背景画像保存条件に一致した画像を保存する構成としても良い。
このように構成することで、より多種の背景画像を取得し、表示部に表示させることができる。
【００４９】
このように本発明は、メールに添付された画像データや放送信号から抽出した画像データが予め定めた条件に適合する場合に記憶部の背景画像保存領域に保存し、その保存した画像データにより背景画像を自動更新することとしたため、利用者が設定操作をすることなく、多彩な背景画像を表示させることが可能となる。
【００５０】
なお、本発明は、上記実施形態に限定されず、本発明の要旨を逸脱しない範囲での種々の変更は勿論可能である。
【００５１】
例えば、本実施の形態においては、状態検出部１０６が通信端末装置１０の開閉を検出して状態が変化したことを示す信号を出力した場合に、その信号をトリガとして背景画像設定処理を行い、背景画像を更新することとしたが、タイマーにより予め定めた時間経過ごとに背景画像設定処理Ｓ００６を行い、背景画像を更新してもよい。
また、測位部１１３により通信端末装置１０の位置を定期的に検出して、移動通信端末１０が予め定めた距離を移動したこと示す信号を状態検出部１０６が出力し、その出力信号をトリガとして、現在位置に関連する画像（地図や天気予報図等）を背景画像として設定するようにしてもよい。
【００５２】
また、背景画像保存条件に一致した画像を記憶部１０７の背景画像保存領域に保存するとしたが、図９に示すように、背景画像保存領域２０１に複数のフォルダ２０２を用意し、それぞれのフォルダに対応した条件に照合して、画像データをそれぞれのフォルダに保存してもよい。
その場合、通信端末装置１０の機能毎に背景を変えることができる。例えば、待受け時、メール送受信時、ゲーム使用時によって、それぞれの背景画像の保存フォルダ２０２から画像を抽出し、背景画像の設定をすることができる（図１０）。
【００５３】
また、上記実施形態の通信端末装置１０が実行したプログラムを、既存の携帯電話等に適用することで、当該携帯電話等を本発明に係る通信端末装置として機能させることも可能である。
【００５４】
このようなプログラムの配布方法は任意であり、例えば、ＣＤ−ＲＯＭ（Compact Disk Read-Only Memory）、ＤＶＤ（Digital Versatile Disk）、ＭＯ（Magneto Optical Disk）、メモリカード等のコンピュータ読み取り可能な記録媒体に格納して配布してもよいし、携帯電話網やインターネット等の通信ネットワークを介して配布してもよい。
【００５５】
上記の実施形態の一部又は全部は、以下の付記のようにも記載されうるが、以下には限られない。
【００５６】
（付記１）
画像データを取得する画像データ取得部と、
前記画像データ取得部で取得した画像データの画像が、予め定めた条件に適合するか否かを判定する画像判定部と、
前記画像判定部で、前記条件に適合していると判定された画像の画像データを記憶する画像データ記憶部と、
前記画像データ記憶部に記憶された画像を背景画像として設定する背景画像設定部と、
を備えることを特徴とする通信端末装置。
【００５７】
（付記２）
前記画像判定部は、前記画像データ取得部で取得した画像データの画像が、前記背景画像として保存するか否かを判定するための背景画像保存条件を格納する背景画像保存条件格納部を有し、前記画像データ取得部で取得した画像データの画像が、前記背景画像保存条件に適合するか否かを判定することを特徴とする付記１に記載の通信端末装置。
【００５８】
（付記３）
前記画像データ取得部は、画像データが添付された電子メールを受信することにより、画像データを取得することを特徴とする付記１又は２に記載の通信端末装置。
【００５９】
（付記４）
前記画像データ取得部は、一方向又は双方向のデータ配信手段により配信された画像データ信号を受信することにより、画像データを取得することを特徴とする付記１乃至３のいずれかに記載の通信端末装置。
【００６０】
（付記５）
前記画像データ取得部は、画像を特定する情報を含むメッセージデータを含む電子メールを受信し、前記メッセージデータが、予め定めた条件に適合するか否かを判定し、前記条件に適合していると判定されたメッセージデータに含まれる情報が特定する画像データを、通信ネットワークを介して取得することを特徴とする付記１乃至４のいずれかに記載の通信端末装置。
【００６１】
（付記６）
前記通信端末装置の状態の変化を検出する状態検出部をさらに有し、
前記背景画像設定部は、前記状態検出部より前記状態の変化があったことを示す信号が出力された時に、前記画像データ記憶部に記憶された画像データを取得し、背景画像として設定する、
ことを特徴とする付記１乃至５のいずれかに記載の通信端末装置。
【００６２】
（付記７）
前記通信端末装置は第１ユニットと第２ユニットとからなり、前記第１ユニットと前記第２ユニットはヒンジ部により開閉自在に結合されており、
前記第１ユニットと前記第２ユニットが開状態であるか閉状態であるかを検出する開閉センサをさらに有し、
前記状態検出部は、前記開閉センサの出力により、前記閉状態から前記開状態に変化したことを検出し、状態の変化があったことを示す信号を出力することを特徴とする付記６に記載の通信端末装置。
【００６３】
（付記８）
前記画像データ記憶部は、複数の領域に分割されており、前記取得した画像を予め定めた条件により分類して、前記複数の領域にそれぞれ記憶し、
前記画像データ記憶部の複数の領域はそれぞれ前記通信端末装置の有するアプリケーションに対応付けられており、
前記背景画像設定部は、前記通信端末装置の使用中のアプリケーションに対応する前記領域に記憶されている画像を背景画像として設定する、
ことを特徴とする付記１乃至７のいずれかに記載の通信端末装置。
【００６４】
（付記９）
画像データを取得する画像データ取得ステップと、
前記画像データ取得ステップで取得した画像データの画像が、予め定めた条件に適合するか否かを判定する画像判定ステップと、
前記画像判定ステップで、前記条件に適合していると判定された画像の画像データを記憶する画像データ記憶ステップと、
前記画像データ記憶ステップで記憶された画像を背景画像として設定する背景画像設定ステップと、
を備えることを特徴とする背景画像設定方法。
【００６５】
（付記１０）
コンピュータに、
画像データを取得する画像データ取得手順と、
前記画像データ取得手順で取得した画像データの画像が、予め定めた条件に適合するか否かを判定する画像判定手順と、
前記画像判定手順で、前記条件に適合していると判定された画像の画像データを記憶する画像データ記憶手順と、
前記画像データ記憶手順で記憶された画像を背景画像として設定する背景画像設定手順と、
を実行させるためのプログラム。
【符号の説明】
【００６６】
１０  通信端末装置
１１  第１ユニット
１２  第２ユニット
１３  ヒンジ部
１０１  無線通信部
１０２  放送受信部
１０３  カメラ部
１０４  表示部
１０５  操作部
１０６  状態検出部
１０７  記憶部
１０８  制御部
１０９  音声処理部
１１０  マイク
１１１  内部スピーカ
１１２  外部スピーカ
１１３  測位部
１１４  開閉センサ
１１５、１１６  アンテナ
【図１】
2012160874.tif 000003
【図２】
2012160874.tif 000004
【図３】
2012160874.tif 000005
【図４】
2012160874.tif 000006
【図５】
2012160874.tif 000007
【図６】
2012160874.tif 000008
【図７】
2012160874.tif 000009
【図８】
2012160874.tif 000010
【図９】
2012160874.tif 000011
【図１０】
2012160874.tif 000012